(57)【要約】【課題】  反乗員側から乗員側へ音が伝わることを抑制できる下肢保護構造を得る。【解決手段】  車両床構造１０では、車両の衝突時等に、乗員２４の踵部からの衝撃を、吸音ティビアパッド２２の衝撃吸収材が塑性収縮変形されて吸収することで、乗員２４の下肢が保護される。ここで、吸音ティビアパッド２２が吸音材を備えているため、吸音ティビアパッド２２及びフロアカーペット３２の表部３４を介して車室１２外から車室１２内へ伝わる音（特にエンジン室１８からのエンジン音）を吸音材が吸収することができ、吸音ティビアパッド２２及び表部３４を介して車室１２外から車室１２内へ音が伝わることを抑制できる。【選択図】    図１
2005081958.tif 000002
【特許請求の範囲】
【請求項１】
乗員の足裏からの衝撃を吸収する衝撃吸収材と、
音を吸収する吸音材と、
を備えた下肢保護構造。
【請求項２】
前記衝撃吸収材の前記吸音材側の面形状を曲面状にした、ことを特徴とする請求項１記載の下肢保護構造。
【請求項３】
前記吸音材の反乗員側に前記衝撃吸収材が配置されない、ことを特徴とする請求項１または請求項２記載の下肢保護構造。
【請求項４】
乗員側が被覆部材に被覆された、ことを特徴とする請求項１乃至請求項３の何れか１項記載の下肢保護構造。
【発明の詳細な説明】
【技術分野】
【０００１】
本発明は、乗員の下肢を保護する下肢保護構造に関する。
【背景技術】
【０００２】
車両の運転室としては、フロアパネル上に、可動プレートが載置されたものがある（例えば、特許文献１参照）。
【０００３】
この車両の運転室では、フロアパネルが前側の傾斜パネルと後側の水平パネルとを有すると共に、可動プレートが前側の傾斜プレートと後側の水平プレートとを有しており、フロアパネルの傾斜パネル上及び水平パネル上に、それぞれ可動プレートの傾斜プレート及び水平プレートが面接合されている。さらに、可動プレートは、傾斜プレートと水平プレートとの間において押動部を有しており、押動部は傾斜プレート及び水平プレートから乗員の踵部側へ突出している。
【０００４】
ここで、車両の前突等によってフロアパネルの傾斜パネルが水平パネルに対し後方へ回動変形された際には、傾斜パネルが可動プレートの傾斜プレートを後方へ押圧することで、可動プレート全体が後方へ移動される。これにより、可動プレートの押動部によって乗員の踵部が後方へ移動されて、乗員の足首よりつま先側が後方へ回動されることが抑制されることで、乗員の下肢が保護される構成である。
【０００５】
ところで、この車両の運転室では、フロアパネル及び可動プレートの上側に、カーペットが載置されており、カーペットは、上面側のカーペット本体と下面側の緩衝敷物とが一体にされた構成とされている、
しかしながら、このカーペットでは、可動プレートの押動部に対応する部位において、緩衝敷物が設けられずに隙間が形成されており、この隙間に押動部が挿入されている。ここで、緩衝敷物は吸音性能が高いため、このカーペットの緩衝敷物が設けられていない部位では、車室内へ伝わるエンジン音等を良好に吸収できずに、ＮＶ（ノイズ・バイブレーション）性能が低下するという問題がある。
【特許文献１】特開２０００−３２６８７０公報
【発明の開示】
【発明が解決しようとする課題】
【０００６】
本発明は、上記事実を考慮し、反乗員側から乗員側へ音が伝わることを抑制できる下肢保護構造を得ることが目的である。
【課題を解決するための手段】
【０００７】
請求項１に記載の下肢保護構造は、乗員の足裏からの衝撃を吸収する衝撃吸収材と、音を吸収する吸音材と、を備えている。
【０００８】
請求項２に記載の下肢保護構造は、請求項１に記載の下肢保護構造において、前記衝撃吸収材の前記吸音材側の面形状を曲面状にした、ことを特徴としている。
【０００９】
請求項３に記載の下肢保護構造は、請求項１または請求項２に記載の下肢保護構造において、前記吸音材の反乗員側に前記衝撃吸収材が配置されない、ことを特徴としている。
【００１０】
請求項４に記載の下肢保護構造は、請求項１乃至請求項３の何れか１項に記載の下肢保護構造において、乗員側が被覆部材に被覆された、ことを特徴としている。
【発明の効果】
【００１１】
請求項１に記載の下肢保護構造では、衝撃吸収材が乗員の足裏からの衝撃を吸収することで、乗員の下肢が保護される。
【００１２】
ここで、請求項１に記載の下肢保護構造は、吸音材を備えているため、下肢保護構造の反乗員側から乗員側へ伝わる音を吸音材が吸収することができ、下肢保護構造の反乗員側から乗員側へ音が伝わることを抑制できる。
【００１３】
請求項２に記載の下肢保護構造では、衝撃吸収材の吸音材側の面形状が曲面状にされているため、衝撃吸収材の吸音材側の面間で音を乱反射できる。これにより、吸音材が音を効果的に吸収することができる。
【００１４】
請求項３に記載の下肢保護構造では、吸音材の反乗員側に衝撃吸収材が配置されないため、吸音材による音の吸収が衝撃吸収材に阻害されることを防止できる。これにより、吸音材が音を良好に吸収することができる。
【００１５】
請求項４に記載の下肢保護構造では、乗員側が被覆部材に被覆されているため、被覆部材が音を吸収する場合及び被覆部材が反射した音を吸音材が吸収する場合の何れの場合でも、下肢保護構造の反乗員側から乗員側へ音が伝わることを一層抑制できる。
【発明を実施するための最良の形態】
【００１６】
図１には、本発明の下肢保護構造が適用されて構成された実施の形態に係る車両床構造１０が車両左側から見た断面図にて示されている。なお、本実施の形態（下記第１変形例及び第２変形例を含む）では、車両前方を「前方」といい、車両後方を「後方」といい、車両右方を「右方」といい、車両左方を「左方」という。
【００１７】
本実施の形態に係る車両床構造１０は、車室１２における運転室前側の床部を構成しており、板状のフロアパネル１４を備えている。
【００１８】
フロアパネル１４は、前側に傾斜部１６（ダッシュパネル）を有しており、傾斜部１６は前斜め上方へ延伸されている。傾斜部１６の前方にはエンジン室１８が配置されており、エンジン室１８にはエンジン（図示省略）が収容されている。また、傾斜部１６の後側にはブレーキペダル及びアクセルペダル（図示省略）が配置されている。
【００１９】
フロアパネル１４は、後側に水平部２０を有しており、水平部２０は、前端において傾斜部１６の後端と一体にされると共に、傾斜部１６の後端から後方へ水平に延伸されている。
【００２０】
フロアパネル１４の上方には、傾斜部１６と水平部２０との境界部分において、下肢保護構造としての吸音ティビアパッド２２が配置されており、図２にも示す如く、吸音ティビアパッド２２は略板状にされている。吸音ティビアパッド２２の前側部位は断面略平行四辺形の板状にされると共に、吸音ティビアパッド２２の後側部位は略平板状にされており、吸音ティビアパッド２２は、前側部位が傾斜部１６の上方に配置されると共に、後側部位が水平部２０の上方に配置されて、前側部位が後側部位に比し上方へ突出されている。また、吸音ティビアパッド２２の前側部位後方及び後側部位上方には、ブレーキペダルまたはアクセルペダルを操作する乗員２４（運転手）下肢の踵部が配置される。
【００２１】
図３に示す如く、吸音ティビアパッド２２は、略板状の衝撃吸収材２６を有しており、衝撃吸収材２６は、車両の衝突時（特に前突時）等に、乗員２４の踵部（足裏）からの衝撃を、塑性収縮変形されることで、吸収する。衝撃吸収材２６には所定数の吸音室２８が形成されており、吸音室２８は、周面が略半楕円面状または略半球面状（略ドーム形状）にされて、下面が衝撃吸収材２６の下面から開放されている。吸音室２８には、吸音材３０が収容されており、吸音材３０は、フェルト製やスポンジ製等の通気性のあるもの等とされて、エンジン室１８からのエンジン音等の音（透過音）を吸収する。
【００２２】
フロアパネル１４及び吸音ティビアパッド２２の上方には、フロアカーペット３２が配置されている。フロアカーペット３２は、上面側に可撓性を有する被覆部材としての表部３４を有すると共に、下面側に弾性を有する弾性部３６を有しており、表部３４と弾性部３６とは一体にされている。また、弾性部３６は、エンジン室１８からのエンジン音等の音を吸収する。
【００２３】
フロアカーペット３２は、吸音ティビアパッド２２の前端及び後端に対応する部位において、表部３４と弾性部３６とが分離されると共に、吸音ティビアパッド２２の前端及び後端以外の部位に対応する部位において、弾性部３６が設けられていない。これにより、フロアカーペット３２には、吸音ティビアパッド２２に対応する部位において、隙間３８が形成されており、隙間３８内には、吸音ティビアパッド２２が、前端及び後端を表部３４と弾性部３６との間に配置された状態で、収容されている。これにより、フロアカーペット３２に対する吸音ティビアパッド２２の移動が阻害された構成である。
【００２４】
次に、本実施の形態の作用を説明する。
【００２５】
以上の構成の車両床構造１０では、車両の衝突時等に、乗員２４の踵部からの衝撃を、吸音ティビアパッド２２の衝撃吸収材２６が塑性収縮変形されて吸収することで、乗員２４の下肢が保護される。
【００２６】
また、衝撃吸収材２６における吸音室２８の形成体積（形成割合）が調整されることで、衝撃吸収材２６が吸収できる衝撃荷重（エネルギー量）が調整される。
【００２７】
ここで、吸音ティビアパッド２２が吸音室２８内に吸音材３０を備えているため、吸音ティビアパッド２２及びフロアカーペット３２の表部３４を介して車室１２外（反乗員２４側）から車室１２内（乗員２４側）へ伝わる音（特にエンジン室１８からのエンジン音）を吸音材３０が吸収することができ、吸音ティビアパッド２２及び表部３４を介して車室１２外から車室１２内へ音が伝わることを抑制できる。このため、吸音ティビアパッド２２によってＮＶ（ノイズ・バイブレーション）性能が低下することを防止できる。
【００２８】
さらに、吸音室２８の周面（衝撃吸収材２６の吸音材３０側の面形状）が略半楕円面状または略半球面状にされているため、吸音室２８の周面間で音を乱反射できる。これにより、吸音室２８内の吸音材３０が音を効果的に吸収することができる。
【００２９】
しかも、吸音室２８の下面が衝撃吸収材２６の下面から開放されて、吸音材３０の車室１２外側に衝撃吸収材２６が配置されないため、吸音材３０による音の吸収が衝撃吸収材２６に阻害されることを防止できる。これにより、吸音材３０が音を良好に吸収することができる。
【００３０】
また、吸音ティビアパッド２２及び表部３４を介して車室１２外から車室１２内へ伝わる音の種類（周波数領域）に応じて吸音材３０の材質を変更することで、吸音材３０が音を一層効果的に吸収することができる。
【００３１】
さらに、吸音ティビアパッド２２の車室１２内側が、フロアカーペット３２の表部３４に被覆されているため、表部３４が音を吸収する場合及び表部３４が反射した音を吸音材３０が吸収する場合の何れの場合でも、吸音ティビアパッド２２及び表部３４を介して車室１２外から車室１２内へ音が伝わることを一層抑制できる。
【００３２】
また、衝撃吸収材２６に形成された吸音室２８に吸音材３０が配置されるため、吸音ティビアパッド２２の肉厚が厚くなることを防止できる。
【００３３】
（第１変形例）
図４は、本発明の実施の形態の第１変形例に係る吸音ティビアパッド５０が断面図にて示されている。
【００３４】
本変形例に係る吸音ティビアパッド５０では、所謂樹脂の異倍率発泡成形によって、衝撃吸収材２６及び吸音材３０が一体形成されており、衝撃吸収材２６は樹脂の低倍率発泡成形によって形成されると共に、吸音材３０は樹脂の高倍率発泡成形によって形成されている。さらに、衝撃吸収材２６と吸音材３０との境界面（衝撃吸収材２６の吸音材３０側の面）が吸音室２８の周面とされており、吸音室２８内に吸音材３０が収容された構成とされている。
【００３５】
ところで、本変形例でも、上記実施の形態と同様の作用及び効果を奏することができる。
【００３６】
特に、衝撃吸収材２６の成形における発泡倍率を調整することで、衝撃吸収材２６が吸収できる衝撃荷重（エネルギー量）を調整することができる。
【００３７】
さらに、吸音ティビアパッド２２及びフロアカーペット３２の表部３４を介して車室１２外から車室１２内へ伝わる音の種類（周波数領域）に応じて吸音材３０の成形における発泡倍率を変更することで、吸音材３０が音を効果的に吸収することができる。
【００３８】
また、衝撃吸収材２６と吸音材３０とが一体形成されているため、部品点数を少なくすることができる。
【００３９】
（第２変形例）
図５は、本発明の実施の形態の第２変形例に係る吸音ティビアパッド７０が断面図にて示されている。
【００４０】
本変形例に係る吸音ティビアパッド７０では、上部に略板状の衝撃吸収材７２が設けられており、衝撃吸収材７２は、車両の衝突時（特に前突時）等に、乗員２４の踵部（足裏）からの衝撃を、塑性収縮変形されることで、吸収する。衝撃吸収材７２の下面には、衝撃吸収材及び吸音材としてのファイバー部７４（衝撃吸収吸音材）が固定されており、ファイバー部７４は、多数の直線状の繊維が平行に並べられた構成にされている。ファイバー部７４は、車両の衝突時等に乗員２４の踵部からの衝撃を塑性屈曲変形されることで吸収すると共に、エンジン室１８からのエンジン音等の音（透過音）を吸収する構成である。
【００４１】
ところで、本変形例では、車両の衝突時等に、乗員２４の踵部からの衝撃を、吸音ティビアパッド７０の衝撃吸収材７２が塑性収縮変形されて吸収すると共に、吸音ティビアパッド７０のファイバー部７４が塑性屈曲変形されて吸収することで、乗員２４の下肢が保護される。
【００４２】
また、ファイバー部７４における各繊維の径が調整されることで、ファイバー部７４が吸収できる衝撃荷重（エネルギー量）が調整される。
【００４３】
ここで、吸音ティビアパッド７０がファイバー部７４を備えているため、吸音ティビアパッド７０及びフロアカーペット３２の表部３４を介して車室１２外（反乗員２４側）から車室１２内（乗員２４側）へ伝わる音（特にエンジン室１８からのエンジン音）をファイバー部７４が吸収することができ、吸音ティビアパッド７０及び表部３４を介して車室１２外から車室１２内へ音が伝わることを抑制できる。このため、吸音ティビアパッド７０によってＮＶ（ノイズ・バイブレーション）性能が低下することを防止できる。
【００４４】
さらに、ファイバー部７４が衝撃吸収材７２の下方（車室１２外側）に配置されているため、衝撃吸収材７２が反射した音をファイバー部７４が吸収することができる。これにより、ファイバー部７４が音を効果的に吸収することができる。
【００４５】
しかも、ファイバー部７４が衝撃吸収材７２の下方に配置されて、ファイバー部７４の車室１２外側に衝撃吸収材７２が配置されないため、ファイバー部７４による音の吸収が衝撃吸収材７２に阻害されることを防止できる。これにより、ファイバー部７４が音を良好に吸収することができる。
【００４６】
また、吸音ティビアパッド７０及び表部３４を介して車室１２外から車室１２内へ伝わる音の種類（周波数領域）に応じてファイバー部７４における繊維の配置密度を変更することで、ファイバー部７４が音を一層効果的に吸収することができる。
【００４７】
さらに、吸音ティビアパッド７０の車室１２内側が、フロアカーペット３２の表部３４に被覆されているため、表部３４が音を吸収する場合及び表部３４が反射した音をファイバー部７４が吸収する場合の何れの場合でも、吸音ティビアパッド７０及び表部３４を介して車室１２外から車室１２内へ音が伝わることを一層抑制できる。
【００４８】
また、ファイバー部７４が衝撃吸収材及び吸音材として機能するため、吸音ティビアパッド７０の肉厚が厚くなることを抑制できる。
【図面の簡単な説明】
【００４９】
【図１】本発明の実施の形態に係る車両床構造を示す車両左側から見た断面図である。
【図２】本発明の実施の形態に係る吸音ティビアパッドを示す車両後ろ斜め上方から見た斜視図である。
【図３】本発明の実施の形態に係る吸音ティビアパッドを示す断面図である。
【図４】本発明の実施の形態の第１変形例に係る吸音ティビアパッドを示す断面図である。
【図５】本発明の実施の形態の第２変形例に係る吸音ティビアパッドを示す断面図である。
【符号の説明】
【００５０】
１０    車両床構造
２２    吸音ティビアパッド（下肢保護構造）
２４    乗員
２６    衝撃吸収材
３０    吸音材
３４    表部（被覆部材）
５０    吸音ティビアパッド（下肢保護構造）
７０    吸音ティビアパッド（下肢保護構造）
７２    衝撃吸収材
７４    ファイバー部（衝撃吸収材及び吸音材）
【図１】
2005081958.tif 000003
【図２】
2005081958.tif 000004
【図３】
2005081958.tif 000005
【図４】
2005081958.tif 000006
【図５】
2005081958.tif 000007